(57)【特許請求の範囲】
【請求項１】
ＣＭ（commercial message）素材と、契約期間と、前記契約期間中に前記ＣＭ素材を放送して確保すべき延べ視聴率を示す保障ＧＲＰと、を対応付けた保障情報を複数取得する保障情報取得手段と、
確保しているＣＭ放送枠である確保放送枠を示す確保放送枠情報を取得する確保放送枠情報取得手段と、
前記確保放送枠のうち放送前のものについて、前記確保放送枠の視聴率の推定値を取得する推定値取得手段と、
前記確保放送枠のうち放送が実行されたものについて、前記確保放送枠の視聴率の実績値を取得する実績値取得手段と、
前記確保放送枠に前記ＣＭ素材を割り付ける割り付け手段と、
前記ＣＭ素材を割り付け済みの前記確保放送枠各々と、割れ付けられた前記ＣＭ素材に対応する前記保障情報と、を対応付けた割付対応情報を管理する割付管理手段と、
複数の前記保障情報各々における、前記保障ＧＲＰと、前記割付対応情報で対応付けられている前記確保放送枠の前記実績値の合計値と、残り契約期間内における前記確保放送枠であって、前記ＣＭ素材を割り付けられていない前記確保放送枠の前記推定値の合計値と、に基づき、複数の前記保障情報の優先順位を決定する優先順位決定手段と、
を有し、
前記割り付け手段は、前記優先順位の高い前記保障情報の前記ＣＭ素材を優先的に、前記ＣＭ素材を割り付けられていない前記確保放送枠に割り付けるＣＭ管理装置。
【請求項２】
請求項１に記載のＣＭ管理装置において、
前記優先順位決定手段は、さらに、複数の前記保障情報各々における前記割付対応情報で対応付けられている前記確保放送枠であって、前記実績値がまだ得られていない前記確保放送枠の前記推定値の合計値に基づき、前記優先順位を決定するＣＭ管理装置。
【請求項３】
請求項２に記載のＣＭ管理装置において、
前記保障情報各々の前記保障ＧＲＰをＡ、
前記保障情報各々の残り契約期間内における前記確保放送枠であって、前記ＣＭ素材を割り付けられていない前記確保放送枠の前記推定値の合計値をＢ、
前記保障情報各々に前記割付対応情報で対応付けられている前記確保放送枠の前記実績値の合計値をＣ、
前記保障情報各々に前記割付対応情報で対応付けられている前記確保放送枠であって、前記実績値がまだ得られていない前記確保放送枠の前記推定値の合計値をＤ、
前記保障情報各々の評価ポイントをＸ、
とした場合、
前記優先順位決定手段は、Ｘ＝（Ａ−（Ｃ＋Ｄ））／Ｂの式で、前記保障情報毎に前記評価ポイントを算出し、前記評価ポイントがより大きい前記保障情報により高い優先順位を付すＣＭ管理装置。
【請求項４】
請求項１から３のいずれか１項に記載のＣＭ管理装置において、
前記優先順位決定手段は、前記実績値取得手段が新たに前記実績値を取得すると、その実績値を考慮して前記優先順位を決定し直し、
前記割り付け手段は、前記実績値取得手段が前記実績値を新たに取得すると、前記実績値取得手段が前記実績値を取得したタイミングに基づいて、ＣＭ素材を割り付ける対象の前記確保放送枠を特定し、その後、前記優先順位に基づいて、特定した前記確保放送枠に前記ＣＭ素材を割り付けるＣＭ管理装置。
【請求項５】
請求項１から４のいずれか１項に記載のＣＭ管理装置において、
前記保障ＧＲＰと、前記推定値と、前記実績値と、前記確保放送枠情報と、前記割付対応情報とに基づいて、複数の前記保障情報の前記保障ＧＲＰの合計値に対する前記確保放送枠の過不足を判定する判定手段をさらに有するＣＭ管理装置。
【請求項６】
請求項５に記載のＣＭ管理装置において、
複数の前記保障情報の前記保障ＧＲＰの合計値をＰ、
前記複数の保障情報各々に前記割付対応情報で対応付けられている前記確保放送枠の前記実績値の合計値をＱ、
前記複数の保障情報各々に前記割付対応情報で対応付けられている前記確保放送枠であって、前記実績値が得られていない前記確保放送枠の前記推定値の合計値をＲ、
前記ＣＭ素材を割り付けられていない前記確保放送枠の前記推定値の合計値をＳ、
とした場合、
前記判定手段は、Ｐ、Ｑ、Ｒ及びＳの値に基づいて、前記過不足を判定するＣＭ管理装置。
【請求項７】
請求項５に記載のＣＭ管理装置において、
複数の前記保障情報の前記保障ＧＲＰの合計値をｐ、
前記複数の保障情報各々に前記割付対応情報で対応付けられている前記確保放送枠の前記実績値の合計値をｑ、
前記実績値が得られていない前記確保放送枠の前記推定値の合計値をｒ、
とした場合、
前記判定手段は、ｐ、ｑ及びｒの値に基づいて、前記過不足を判定するＣＭ管理装置。
【請求項８】
ＣＭ素材と、契約期間と、前記契約期間中に前記ＣＭ素材を放送して確保すべき延べ視聴率を示す保障ＧＲＰと、を対応付けた保障情報を複数取得する保障情報取得手段と、
確保しているＣＭ放送枠である確保放送枠を示す確保放送枠情報を取得する確保放送枠情報取得手段と、
前記確保放送枠のうち放送前のものについて、前記確保放送枠の視聴率の推定値を取得する推定値取得手段と、
前記確保放送枠のうち放送が実行されたものについて、前記確保放送枠の視聴率の実績値を取得する実績値取得手段と、
前記確保放送枠に前記ＣＭ素材を割り付ける割り付け手段と、
前記ＣＭ素材を割り付け済みの前記確保放送枠各々と、割れ付けられた前記ＣＭ素材に対応する前記保障情報と、を対応付けた割付対応情報を管理する割付管理手段と、
前記保障ＧＲＰと、前記推定値と、前記実績値と、前記確保放送枠情報と、前記割付対応情報とに基づいて、複数の前記保障情報の前記保障ＧＲＰの合計値に対する前記確保放送枠の過不足を判定する判定手段と、
を有するＣＭ管理装置。
【請求項９】
コンピュータを、
ＣＭ素材と、契約期間と、前記契約期間中に前記ＣＭ素材を放送して確保すべき延べ視聴率を示す保障ＧＲＰと、を対応付けた保障情報を複数取得する保障情報取得手段、
確保しているＣＭ放送枠である確保放送枠を示す確保放送枠情報を取得する確保放送枠情報取得手段、
前記確保放送枠のうち放送前のものについて、前記確保放送枠の視聴率の推定値を取得する推定値取得手段、
前記確保放送枠のうち放送が実行されたものについて、前記確保放送枠の視聴率の実績値を取得する実績値取得手段、
前記確保放送枠に前記ＣＭ素材を割り付ける割り付け手段、
前記ＣＭ素材を割り付け済みの前記確保放送枠各々と、割れ付けられた前記ＣＭ素材に対応する前記保障情報と、を対応付けた割付対応情報を管理する割付管理手段、
複数の前記保障情報各々における、前記保障ＧＲＰと、前記割付対応情報で対応付けられている前記確保放送枠の前記実績値の合計値と、残り契約期間内における前記確保放送枠であって、前記ＣＭ素材を割り付けられていない前記確保放送枠の前記推定値の合計値と、に基づき、複数の前記保障情報の優先順位を決定する優先順位決定手段、
として機能させ、
前記割り付け手段を、前記優先順位の高い前記保障情報の前記ＣＭ素材を優先的に、前記ＣＭ素材を割り付けられていない前記確保放送枠に割り付けさせるプログラム。
【請求項１０】
コンピュータが、
ＣＭ素材と、契約期間と、前記契約期間中に前記ＣＭ素材を放送して確保すべき延べ視聴率を示す保障ＧＲＰと、を対応付けた保障情報を複数取得する保障情報取得工程と、
確保しているＣＭ放送枠である確保放送枠を示す確保放送枠情報を取得する確保放送枠情報取得工程と、
前記確保放送枠のうち放送前のものについて、前記確保放送枠の視聴率の推定値を取得する推定値取得工程と、
前記確保放送枠のうち放送が実行されたものについて、前記確保放送枠の視聴率の実績値を取得する実績値取得工程と、
前記確保放送枠に前記ＣＭ素材を割り付ける割り付け工程と、
前記ＣＭ素材を割り付け済みの前記確保放送枠各々と、割れ付けられた前記ＣＭ素材に対応する前記保障情報と、を対応付けた割付対応情報を管理する割付管理工程と、
複数の前記保障情報各々における、前記保障ＧＲＰと、前記割付対応情報で対応付けられている前記確保放送枠の前記実績値の合計値と、残り契約期間内における前記確保放送枠であって、前記ＣＭ素材を割り付けられていない前記確保放送枠の前記推定値の合計値と、に基づき、複数の前記保障情報の優先順位を決定する優先順位決定工程と、
を実行し、
前記割り付け工程では、前記優先順位の高い前記保障情報の前記ＣＭ素材を優先的に、前記ＣＭ素材を割り付けられていない前記確保放送枠に割り付けるＣＭ管理方法。
【発明の詳細な説明】
【技術分野】
【０００１】
本発明は、ＣＭ管理装置、ＣＭ管理方法、及び、プログラムに関する。
【背景技術】
【０００２】
特許文献１に、関連する技術が開示されている。特許文献１には、ＣＭ放送枠及びそれに付属するＣＭ素材によって構成される送出ＣＭデータを変更する自動番組制御装置の送出ＣＭデータ自動再配置システムが開示されている。
【先行技術文献】
【特許文献】
【０００３】
【特許文献１】特開平１１−２０５２５９号
【発明の概要】
【発明が解決しようとする課題】
【０００４】
民間のテレビ放送やラジオ放送には、所定時間分（例：１５秒、３０秒等）のＣＭ放送枠が複数含まれる。自己のＣＭ素材を流したい者（企業、団体、個人等）は、放送局又は放送局と取引してＣＭ放送枠を確保する者（いわゆる、広告代理店）からＣＭを流す権利（以下、ＣＭ放送権）を購入し、所定のＣＭ素材を流してもらう。以下、自己のＣＭ素材を流すためにＣＭ放送権を購入する者を「ＣＭ放送権需要者」という。また、ＣＭ放送権需要者にＣＭ放送権を販売する者、すなわち、放送局や放送局と取引してＣＭ放送枠を確保する者を「ＣＭ放送権供給者」という。
【０００５】
ところで、ＣＭ放送権の売買は、延べ視聴率（ＧＲＰ）に基づいて行われる場合がある。例えば、５０ＧＲＰ分のＣＭ放送権を売買するといった具合である。当該例の場合、ＣＭ放送権供給者は、５０ＧＲＰ分のＣＭ放送権を購入したＣＭ放送権需要者のＣＭ素材を、５０ＧＲＰ分のＣＭ放送枠に割り付け、放送することとなる。例えば、視聴率が１０％のＣＭ放送枠、視聴率が２０％のＣＭ放送枠、及び、視聴率が２０％のＣＭ放送枠の３つにＣＭ素材を割り付けると、５０ＧＲＰとなる。
【０００６】
しかし、ＣＭ素材をＣＭ放送枠に割り付ける段階では、各ＣＭ放送枠の実際の視聴率は不明である。そこで、従来は、過去の視聴率を用いて各ＣＭ放送枠の視聴率を推定し、当該推定値の合計が購入されたＧＲＰを満たすように、ＣＭ素材の割り付けを行っていた。過去の視聴率を用いた推定の手法としては、例えば、過去の同一曜日及び同一時刻の視聴率をそのまま適用するなどである。
【０００７】
このような方式の場合、各ＣＭ放送枠の視聴率の推定値と、実際の視聴率との差に起因して、ＣＭ素材を購入したＧＲＰ分放送されていないという不都合が発生し得る。実際の視聴率が推定値を下回った場合、このような不都合が発生し得る。
【０００８】
このような不都合を回避するため、割り付けたＣＭ放送枠の推定値の合計値が、購入されたＧＲＰを十分に超える（例：１．２５倍、１．５倍）ように、ＣＭ素材を割り付ける手段が考えられる。しかし、当該手段の場合、ＣＭ放送権供給者にとっては、無駄が多くなる。
【０００９】
本発明は、ＣＭ放送枠にＣＭ素材を割り付ける新たな手法を提供することを課題とする。
【課題を解決するための手段】
【００１０】
本発明によれば、
ＣＭ素材と、契約期間と、前記契約期間中に前記ＣＭ素材を放送して確保すべき延べ視聴率を示す保障ＧＲＰと、を対応付けた保障情報を複数取得する保障情報取得手段と、
確保しているＣＭ放送枠である確保放送枠を示す確保放送枠情報を取得する確保放送枠情報取得手段と、
前記確保放送枠のうち放送前のものについて、前記確保放送枠の視聴率の推定値を取得する推定値取得手段と、
前記確保放送枠のうち放送が実行されたものについて、前記確保放送枠の視聴率の実績値を取得する実績値取得手段と、
前記確保放送枠に前記ＣＭ素材を割り付ける割り付け手段と、
前記ＣＭ素材を割り付け済みの前記確保放送枠各々と、割れ付けられた前記ＣＭ素材に対応する前記保障情報と、を対応付けた割付対応情報を管理する割付管理手段と、
複数の前記保障情報各々における、前記保障ＧＲＰと、前記割付対応情報で対応付けられている前記確保放送枠の前記実績値の合計値と、残り契約期間内における前記確保放送枠であって、前記ＣＭ素材を割り付けられていない前記確保放送枠の前記推定値の合計値と、に基づき、複数の前記保障情報の優先順位を決定する優先順位決定手段と、
を有し、
前記割り付け手段は、前記優先順位の高い前記保障情報の前記ＣＭ素材を優先的に、前記ＣＭ素材を割り付けられていない前記確保放送枠に割り付けるＣＭ管理装置が提供される。
【００１１】
また、本発明によれば、
ＣＭ素材と、契約期間と、前記契約期間中に前記ＣＭ素材を放送して確保すべき延べ視聴率を示す保障ＧＲＰと、を対応付けた保障情報を複数取得する保障情報取得手段と、
確保しているＣＭ放送枠である確保放送枠を示す確保放送枠情報を取得する確保放送枠情報取得手段と、
前記確保放送枠のうち放送前のものについて、前記確保放送枠の視聴率の推定値を取得する推定値取得手段と、
前記確保放送枠のうち放送が実行されたものについて、前記確保放送枠の視聴率の実績値を取得する実績値取得手段と、
前記確保放送枠に前記ＣＭ素材を割り付ける割り付け手段と、
前記ＣＭ素材を割り付け済みの前記確保放送枠各々と、割れ付けられた前記ＣＭ素材に対応する前記保障情報と、を対応付けた割付対応情報を管理する割付管理手段と、
前記保障ＧＲＰと、前記推定値と、前記実績値と、前記確保放送枠情報と、前記割付対応情報とに基づいて、複数の前記保障情報の前記保障ＧＲＰの合計値に対する前記確保放送枠の過不足を判定する判定手段と、
を有するＣＭ管理装が提供される。
【００１２】
また、本発明によれば、
コンピュータを、
ＣＭ素材と、契約期間と、前記契約期間中に前記ＣＭ素材を放送して確保すべき延べ視聴率を示す保障ＧＲＰと、を対応付けた保障情報を複数取得する保障情報取得手段、
確保しているＣＭ放送枠である確保放送枠を示す確保放送枠情報を取得する確保放送枠情報取得手段、
前記確保放送枠のうち放送前のものについて、前記確保放送枠の視聴率の推定値を取得する推定値取得手段、
前記確保放送枠のうち放送が実行されたものについて、前記確保放送枠の視聴率の実績値を取得する実績値取得手段、
前記確保放送枠に前記ＣＭ素材を割り付ける割り付け手段、
前記ＣＭ素材を割り付け済みの前記確保放送枠各々と、割れ付けられた前記ＣＭ素材に対応する前記保障情報と、を対応付けた割付対応情報を管理する割付管理手段、
複数の前記保障情報各々における、前記保障ＧＲＰと、前記割付対応情報で対応付けられている前記確保放送枠の前記実績値の合計値と、残り契約期間内における前記確保放送枠であって、前記ＣＭ素材を割り付けられていない前記確保放送枠の前記推定値の合計値と、に基づき、複数の前記保障情報の優先順位を決定する優先順位決定手段、
として機能させ、
前記割り付け手段を、前記優先順位の高い前記保障情報の前記ＣＭ素材を優先的に、前記ＣＭ素材を割り付けられていない前記確保放送枠に割り付けさせるプログラムが提供される。
【００１３】
また、本発明によれば、
コンピュータが、
ＣＭ素材と、契約期間と、前記契約期間中に前記ＣＭ素材を放送して確保すべき延べ視聴率を示す保障ＧＲＰと、を対応付けた保障情報を複数取得する保障情報取得工程と、
確保しているＣＭ放送枠である確保放送枠を示す確保放送枠情報を取得する確保放送枠情報取得工程と、
前記確保放送枠のうち放送前のものについて、前記確保放送枠の視聴率の推定値を取得する推定値取得工程と、
前記確保放送枠のうち放送が実行されたものについて、前記確保放送枠の視聴率の実績値を取得する実績値取得工程と、
前記確保放送枠に前記ＣＭ素材を割り付ける割り付け工程と、
前記ＣＭ素材を割り付け済みの前記確保放送枠各々と、割れ付けられた前記ＣＭ素材に対応する前記保障情報と、を対応付けた割付対応情報を管理する割付管理工程と、
複数の前記保障情報各々における、前記保障ＧＲＰと、前記割付対応情報で対応付けられている前記確保放送枠の前記実績値の合計値と、残り契約期間内における前記確保放送枠であって、前記ＣＭ素材を割り付けられていない前記確保放送枠の前記推定値の合計値と、に基づき、複数の前記保障情報の優先順位を決定する優先順位決定工程と、
を実行し、
前記割り付け工程では、前記優先順位の高い前記保障情報の前記ＣＭ素材を優先的に、前記ＣＭ素材を割り付けられていない前記確保放送枠に割り付けるＣＭ管理方法が提供される。
【発明の効果】
【００１４】
本発明によれば、ＣＭ放送枠にＣＭ素材を割り付ける新たな手法が実現される。
【図面の簡単な説明】
【００１５】
【図１】本実施形態の装置のハードウエア構成の一例を概念的に示す図である。
【図２】本実施形態のＣＭ管理装置の適用例を説明するための概念図である。
【図３】本実施形態のＣＭ管理装置の機能ブロック図の一例である。
【図４】本実施形態の保障情報の一例を示す模式的に示す図である。
【図５】本実施形態の確保放送枠情報の一例を示す模式的に示す図である。
【図６】本実施形態のＣＭ放送枠の識別情報を説明するための図である。
【図７】本実施形態の割付対応情報の一例を示す模式的に示す図である。
【図８】本実施形態の割り付け部の処理の一例を説明するための図である。
【図９】本実施形態の割り付け部の処理の一例を説明するための図である。
【図１０】本実施形態のＣＭ管理装置の機能ブロック図の一例である。
【図１１】本実施形態のＣＭ管理装置の機能ブロック図の一例である。
【図１２】本実施形態のＣＭ管理装置の適用例を説明するための概念図である。
【発明を実施するための形態】
【００１６】
まず、本実施形態の装置のハードウエア構成の一例について説明する。本実施形態の装置が備える各部は、任意のコンピュータのＣＰＵ（Central Processing Unit）、メモリ、メモリにロードされるプログラム、そのプログラムを格納するハードディスク等の記憶ユニット（あらかじめ装置を出荷する段階から格納されているプログラムのほか、ＣＤ（Compact Disc）等の記憶媒体やインターネット上のサーバ等からダウンロードされたプログラムをも格納できる）、ネットワーク接続用インタフェイスを中心にハードウエアとソフトウエアの任意の組合せによって実現される。そして、その実現方法、装置にはいろいろな変形例があることは、当業者には理解されるところである。
【００１７】
図１は、本実施形態の装置のハードウエア構成の一例を概念的に示す図である。図示するように、本実施形態の装置は、例えば、バス１０Ａで相互に接続されるＣＰＵ１Ａ、ＲＡＭ（Random Access Memory）２Ａ、ＲＯＭ（Read Only Memory）３Ａ、表示制御部４Ａ、ディスプレイ５Ａ、操作受付部６Ａ、操作部７Ａ、通信部８Ａ、補助記憶装置９Ａ等を有する。なお、図示しないが、その他、外部機器と有線で接続される入出力インタフェイス、マイク、スピーカ等の他の要素を備えてもよい。
【００１８】
ＣＰＵ１Ａは各要素とともに装置のコンピュータ全体を制御する。ＲＯＭ３Ａは、コンピュータを動作させるためのプログラムや各種アプリケーションプログラム、それらのプログラムが動作する際に使用する各種設定データなどを記憶する領域を含む。ＲＡＭ２Ａは、プログラムが動作するための作業領域など一時的にデータを記憶する領域を含む。補助記憶装置９Ａは、例えばＨＤＤ（Hard Disc Drive）であり、大容量のデータを記憶可能である。
【００１９】
ディスプレイ５Ａは、例えば、表示装置（ＬＥＤ（Light Emitting Diode）表示器、液晶ディスプレイ、有機ＥＬ（Electro Luminescence）ディスプレイ等）である。ディスプレイ５Ａは、タッチパッドと一体になったタッチパネルディスプレイであってもよい。表示制御部４Ａは、ＶＲＡＭ（Video RAM）に記憶されたデータを読み出し、読み出したデータに対して所定の処理を施した後、ディスプレイ５Ａに送って各種画面表示を行う。操作受付部６Ａは、操作部７Ａを介して各種操作を受付ける。操作部７Ａは、操作キー、操作ボタン、スイッチ、ジョグダイヤル、タッチパネルディスプレイ、キーボードなどを含む。通信部８Ａは、有線及び／または無線で、インターネット、ＬＡＮ（Local Area Network）等のネットワークに接続し、他の電子機器と通信する。
【００２０】
以下、本実施の形態について説明する。なお、以下の実施形態の説明において利用する機能ブロック図は、ハードウエア単位の構成ではなく、機能単位のブロックを示している。これらの図においては、各装置は１つの機器により実現されるよう記載されているが、その実現手段はこれに限定されない。すなわち、物理的に分かれた構成であっても、論理的に分かれた構成であっても構わない。なお、同一の構成要素には同一の符号を付し、適宜説明を省略する。
【００２１】
＜第１の実施形態＞
本実施形態のＣＭ管理装置１０は、ＣＭ放送権供給者に利用される。ＣＭ放送権供給者は、ＣＭ放送権需要者にＣＭ放送権を販売する者であり、例えば、放送局や、放送局と取引してＣＭ放送枠を確保する者（いわゆる、広告代理店）等が該当する。ＣＭ放送権は、ＣＭ放送枠にＣＭを流す権利である。ＣＭ放送権需要者は、自己のＣＭ素材を流すためにＣＭ放送権を購入する者である。
【００２２】
ここで、図２を用いて、本実施形態のＣＭ管理装置１０の適用例を説明する。
【００２３】
ＣＭ放送権供給者は、ＣＭ放送枠を確保する（ＣＭ放送枠確保）。ＣＭ放送権供給者が放送局と取引してＣＭ放送枠を確保する者である場合、ＣＭ放送権供給者は、放送局から所定のＣＭ放送枠を購入することで、ＣＭ放送枠を確保する。
【００２４】
また、ＣＭ放送権供給者は、ＣＭ放送権需要者に、確保したＣＭ放送枠にＣＭ素材を放送するＣＭ放送権を販売する（ＣＭ契約締結）。当該ＣＭ契約においては、放送するＣＭ素材、契約期間、購入されたＧＲＰ（保障ＧＲＰ）、ＣＭ素材を放送する際のルール等が定められる。
【００２５】
図示する「素材割付」の作業は、本実施形態のＣＭ管理装置１０により行われる。ＣＭ管理装置１０には、ＣＭ放送権供給者が確保したＣＭ放送枠を示す情報、ＣＭ放送権供給者が締結したＣＭ契約を示す情報が入力される。また、ＣＭ管理装置１０には、視聴率の実績値が継続的に入力される。
【００２６】
ＣＭ管理装置１０は、これらの情報に基づき、確保されたＣＭ放送枠に所定のＣＭ素材を割り付ける。以下、本実施形態のＣＭ管理装置１０の構成について、詳細に説明する。
【００２７】
図３に、本実施形態のＣＭ管理装置１０の機能ブロック図の一例を示す。図示するように、ＣＭ管理装置１０は、保障情報取得部１１と、確保放送枠情報取得部１２と、推定値取得部１３と、実績値取得部１４と、割り付け部１５と、割付管理部１６と、優先順位決定部１７とを有する。
【００２８】
保障情報取得部１１は、ＣＭ素材と、契約期間と、当該契約期間中に当該ＣＭ素材を放送して確保すべき延べ視聴率を示す保障ＧＲＰと、を対応付けた保障情報を複数取得する。例えば、１つの保障情報は、１つのＣＭ契約に対応する。
【００２９】
ＣＭ素材は、音声コンテンツや映像コンテンツ等からなる所定時間分（例：１５秒、３０秒分）の放送コンテンツである。契約期間は、当該ＣＭ素材を放送する期間を示す。保障ＧＲＰは、ＣＭ放送権需要者により購入されたＧＲＰである。保障ＧＲＰは、割り付けられた複数のＣＭ放送枠各々の実際の視聴率の合計（延べ視聴率）が最低限満たす数値を示す。
【００３０】
図４に、保障情報取得部１１が取得する保障情報の一例を模式的に示す。図示する保障情報は、保障情報ＩＤ（identification）、ＣＭ素材ＩＤ、契約期間、保障ＧＲＰ、ルールが対応付けられている。
【００３１】
図示する保障情報「００００１」によれば、ＣＭ放送権供給者は、２０１５年１月１日から２０１５年１月１８日までの間のＣＭ放送枠に、実際の視聴率の合計（延べ視聴率）が５０％を満たすように、ＣＭ素材「０００Ａ」を割り付けなければならないことが分かる。
【００３２】
なお、図示するように、１つの保障情報には、１つのＣＭ素材が対応付けられてもよいし、複数のＣＭ素材が対応付けられてもよい。複数のＣＭ素材が対応付けられる場合、各ＣＭ素材の延べ視聴率を足し合わせた延べ視聴率が保障ＧＲＰを満たせばよい。
【００３３】
保障情報「００００２」の場合、ＣＭ放送権供給者は、２０１５年１月１０日から２０１５年１月３１日までの間のＣＭ放送枠に、実際の視聴率の合計（延べ視聴率）が７５％を満たすように、ＣＭ素材「０００Ｂ」、「０００Ｃ」及び「０００Ｄ」を割り付けなければならない。例えば、ＣＭ素材「０００Ｂ」を割り付けたＣＭ放送枠の実際の視聴率の合計が３０％であり、ＣＭ素材「０００Ｃ」を割り付けたＣＭ放送枠の実際の視聴率の合計が２０％であり、ＣＭ素材「０００Ｄ」を割り付けたＣＭ放送枠の実際の視聴率の合計が３０％であった場合、それらの合計は８０％である。この場合、保障情報「００００２」の保障ＧＲＰ「７５％」は満たされたこととなる。
【００３４】
図示するルールの欄には、例えば、ＣＭ素材を放送する際のルール（満たすべき事項、及び／又は、禁止事項）が規定される。例えば、図示するように、複数のＣＭ素材を放送する順番を規定してもよいし、複数のＣＭ素材を放送する比率を規定してもよい。また、ＣＭ素材を放送する時間帯や、放送してはいけない時間帯等が規定されてもよい。
【００３５】
例えば、ＣＭ放送権需要者とＣＭ契約を締結したＣＭ放送権供給者は、所定の入力装置を介して保障情報を入力し、保障情報記憶部（不図示）に格納する。そして、保障情報取得部１１は、当該保障情報記憶部から保障情報を取得する。なお、ＣＭ管理装置１０が保障情報記憶部を備えてもよいし、または、ＣＭ管理装置１０と通信可能な他の装置が保障情報記憶部を備えてもよい。
【００３６】
図３に戻り、確保放送枠情報取得部１２は、ＣＭ放送権供給者が確保しているＣＭ放送枠を示す確保放送枠情報を取得する。以下、確保放送枠情報に記載されているＣＭ放送枠を確保放送枠という。
【００３７】
図５に、確保放送枠情報取得部１２が取得する確保放送枠情報の一例を模式的に示す。図示する確保放送枠情報には、ＣＭ放送権供給者が確保しているＣＭ放送枠の識別情報が記載されている。以下、図５に示すＣＭ放送枠の識別情報の構成を説明する。
【００３８】
ＣＭ放送枠の識別情報の冒頭の６個の数字が、各ＣＭ放送枠の放送日を示す。図示する「１５１２０１」は、２０１５年１２月１日を示す。ハイフンの後の４つの数字は、各日の放送コンテンツの本編（放送番組）各々を識別する情報である。図示する「１２００」は、放送開始時間が１２時００分である本編を示す。その後についた「Ｔ」は、本編の間に挿入されるＣＭ放送枠を示す。一方、「Ｓ」は、本編と本編の間に挿入されるＣＭ放送枠を示す。なお、ＣＭ放送枠の識別情報には、その他、放送局を示す情報などが付されてもよい。
【００３９】
図６を用いてＣＭ放送枠の識別情報の説明を補足する。図示するタイムチャートは、ある放送局の２０１５年１２月１日の１２時〜１３時付近の放送進行表を示す。図には、識別情報「１２００」の本編と、識別情報「１３００」の本編とが示されている。識別情報「１２００」の本編は３つに分かれており、その間にＣＭ放送枠（ＣＭ１、ＣＭ２）が挿入されている。また、識別情報「１２００」の本編と、識別情報「１３００」の本編との間に、ＣＭ放送枠（ＣＭ３）が挿入されている。
【００４０】
識別情報に「Ｔ」が付されるＣＭ放送枠（図の場合、１２００Ｔ）は、本編の間に挿入されるＣＭ放送枠（図の場合、ＣＭ１、ＣＭ２）である。識別情報に「Ｓ」が付されるＣＭ放送枠（図の場合、１２００Ｔ）は、ある本編と他の本編との間に挿入されるＣＭ放送枠（図の場合、ＣＭ３）である。
【００４１】
図示するＣＭ１、ＣＭ２及びＣＭ３は、各々、１つのＣＭ放送枠分であってもよいし、複数のＣＭ放送枠分を含んでもよい。
【００４２】
このような構成の識別情報の場合、図５に示すように、複数のＣＭ放送枠に同じ識別情報が付される場合がある。例えば、図６に示すＣＭ１のＣＭ放送枠と、ＣＭ２のＣＭ放送枠には、同じ識別情報「１５１２０１−１２００Ｔ」が付される。また、図示するＣＭ１、ＣＭ２及びＣＭ３各々が複数のＣＭ放送枠を含む場合、ＣＭ１、ＣＭ２及びＣＭ３各々が有する複数のＣＭ放送枠には、同じ識別情報が付される。
【００４３】
この場合、例えば、「１５１２０１−１２００Ｔ」のＣＭ放送枠を１枠確保したＣＭ放送権供給者（広告代理店等）は、図６に示すＣＭ１及びＣＭ２の中のいずれか１枠でＣＭを放送する枠を確保したこととなる。当該枠に割り付けたＣＭ素材がＣＭ１及びＣＭ２の中のいずれの枠で放送されるかは、放送局次第となる。
【００４４】
ＣＭ放送枠の識別情報の構成は、ここで例示したものに限定されない。例えば、複数のＣＭ放送枠に同じ識別情報が付されないように、複数のＣＭ放送枠に識別情報を付してもよい。
【００４５】
なお、確保放送枠情報（図５参照）において、各確保放送枠に、各々の属性（放送局、放送される月、放送される曜日、放送される時間、対応する本編が特別番組かレギュラー番組か、等）が対応付けられていてもよい。確保放送枠情報取得部１２は、このような属性情報を、オペレータ（ＣＭ放送権供給者）による入力で取得してもよいし、放送局のサーバから取得してもよいし、その他の手段で取得してもよい。
【００４６】
図３に戻り、推定値取得部１３は、確保放送枠の放送前に、確保放送枠の視聴率の推定値を取得する。例えば、推定値取得部１３は、過去の視聴率の実績や、確保放送枠各々の属性等に基づき、推定値を算出してもよい。
【００４７】
例えば、推定値取得部１３は、過去の複数のＣＭ放送枠の中から、確保放送枠各々と所定の属性（放送局、放送される月、放送される曜日、放送される時間、対応する本編が特別番組かレギュラー番組か、等）が所定レベル以上類似するＣＭ放送枠を１つ又は複数抽出してもよい。そして、抽出したＣＭ放送枠の視聴率の実績に基づいて、各確保放送枠の推定値を決定してもよい。
【００４８】
例えば、１つのＣＭ放送枠を抽出した場合、そのＣＭ放送枠の視聴率の実績を、推定値としてもよい。また、複数のＣＭ放送枠を抽出した場合、それら各々の視聴率の実績の統計値（平均値、最大値、最小値、中央値、最頻値等）を、推定値としてもよい。推定精度を高めるため、過去の視聴率の実績データは、古すぎないのが好ましい（例：過去１年分、過去数か月分等）。なお、ＣＭ放送枠の視聴率の実績は、各ＣＭ放送枠の放送時点の視聴率であってもよいし、対応する本編（番組）の視聴率（平均視聴率、最小視聴率、最大視聴率等）であってもよいし、その他であってもよい。
【００４９】
推定値取得部１３の当該構成を実現するため、ＣＭ管理装置１０は、視聴率を継続的に取得する視聴率取得部と、視聴率取得部が取得した視聴率を蓄積する視聴率記憶部とを有してもよい。または、ＣＭ管理装置１０と通信可能に構成された外部装置が、視聴率取得部及び視聴率取得部を有してもよい。推定値取得部１３は、視聴率記憶部から過去の視聴率の実績データを取得し、上記処理を行うことができる。過去のＣＭ放送枠各々の視聴率の実績を示す実績データにおいては、過去のＣＭ放送枠各々の属性（放送局、放送された月、放送された曜日、放送された時間、対応する本編が特別番組かレギュラー番組か、等）が対応付けられていてもよい。
【００５０】
視聴率取得部は、測定された視聴率（実績）を提供する視聴率提供サーバと通信し、当該視聴率提供サーバから視聴率の実績データを取得してもよい。その他、当該視聴率提供サーバにより提供（公開）された実績データを、オペレータ（ＣＭ放送権供給者）が任意の手段で視聴率取得部に入力してもよい。実績データは、所定の時間毎の視聴率（例：毎分視聴率、３０秒毎視聴率等）の時系列データや、各番組の視聴率の統計値（平均視聴率、最小視聴率、最大視聴率等）等を含んでもよい。
【００５１】
視聴率取得部は、視聴率提供サーバにより新たな実績データが提供される都度、その新たな実績データを取得する。視聴率取得部は、視聴率提供サーバによる新たな実績データの提供からより小さなタイムラグで、当該新たな実績データを取得するのが好ましい。このような取得を実現する手段は特段制限されない。
【００５２】
例えば、視聴率提供サーバが、１日１回、１日の中の所定のタイミング（例：毎日１０時）に、前日の１日分の実績データを提供するよう構成される例が考えられる。当該例の場合、視聴率取得部は、１日１回、視聴率提供サーバからの提供タイミング（例：毎日１０時）からより小さなタイムラグで、前日の１日分の実績データを取得するよう構成される。
【００５３】
その他、視聴率提供サーバが、１日に複数回、所定時間毎の視聴率の実績データを、各時間帯から所定のタイムラグで提供するよう構成される例が考えられる。例えば、１時間毎の視聴率の実績データを、１時間のタイムラグで提供する例（例：１３時から１４時の視聴率の実績データを、１５時に提供）等が考えられる。その他、５分毎の視聴率の実績データを、１０分のタイムラグで提供する例（例：１３時００分から１３時０５分の視聴率の実績データを、１３時１５分に提供）等が考えられる。この場合、視聴率取得部は、１日に複数回、所定時間毎の視聴率の実績データを、視聴率提供サーバからの提供タイミングからより小さなタイムラグで取得するよう構成されるのが好ましい。
【００５４】
小さなタイムラグで取得する手段は特段制限されない。例えば、視聴率提供サーバにより新たな実績データが提供されるタイミング（例：毎日１０時）が予め定まっている場合、視聴率取得部は、そのタイミングの後の任意のタイミング（例：毎日１０時３分）で、当該サーバにアクセスし、実績データを取得するよう構成されていてもよい。すなわち、予め、視聴率取得部が視聴率提供サーバにアクセスするタイミング（例：毎日１０時３分）が視聴率取得部に登録されていてもよい。その他、予め視聴率提供サーバに、視聴率取得部のアドレスが登録されていてもよい。そして、視聴率提供サーバは、新たな実績データを提供する都度、視聴率取得部に当該実績データを送信してもよい。
【００５５】
図３に戻り、実績値取得部１４は、確保放送枠の放送後に、確保放送枠各々の視聴率の実績値を取得する。実績値取得部１４は、上述した視聴率取得部、又は、視聴率記憶部から上記実績データを取得する。そして、実績値取得部１４は、必要に応じて、視聴率取得部や視聴率記憶部から取得した実績データを演算処理し、所望の実績値を算出することができる。確保放送枠各々の視聴率の実績値は、各ＣＭ放送枠の放送時点の視聴率（平均視聴率、最小視聴率、最大視聴率等）であってもよいし、対応する本編（番組）の視聴率（平均視聴率、最小視聴率、最大視聴率等）であってもよいし、その他であってもよい。
【００５６】
実績値取得部１４は、上記視聴率提供サーバによる新たな実績データの提供タイミングからより小さなタイムラグで、その実績データを取得するよう構成されるのが好ましい。
【００５７】
すなわち、視聴率提供サーバが、１日１回、１日の中の所定のタイミング（例：毎日１０時）に、前日の１日分の実績データを提供するよう構成されている場合、実績値取得部１４は、１日１回、視聴率提供サーバからの提供タイミング（例：毎日１０時）からより小さなタイムラグで、前日の１日分の実績データを取得するよう構成されるのが好ましい。
【００５８】
また、視聴率提供サーバが、１日に複数回、所定時間毎の視聴率の実績データを、各時間帯から所定のタイムラグで提供するよう構成されている場合、実績値取得部１４は、１日に複数回、所定時間毎の視聴率の実績データを、視聴率提供サーバからの提供タイミングからより小さなタイムラグで取得するよう構成されるのが好ましい。
【００５９】
割り付け部１５は、確保放送枠にＣＭ素材を割り付ける。すなわち、割り付け部１５は、保障情報取得部１１が取得した保障情報のＣＭ素材を、確保放送枠情報取得部１２が取得した確保放送枠情報に含まれる確保放送枠に割り付ける。
【００６０】
なお、割り付け部１５は、以下で説明する優先順位決定部１７が決定した複数の保障情報の優先順位に従い、割付処理を行う。すなわち、割り付け部１５は、優先順位の高い保障情報のＣＭ素材を優先的に、ＣＭ素材を割り付けられていない確保放送枠に割り付ける。詳細は、優先順位決定部１７の説明の後に説明する。
【００６１】
割付管理部１６は、ＣＭ素材を割り付け済みの確保放送枠各々と、割れ付けられたＣＭ素材に対応する保障情報と、を対応付けた割付対応情報を管理する。また、割付管理部１６は、推定値取得部１３が取得した確保放送枠各々の推定値、及び、実績値取得部１４が取得した確保放送枠各々の実績値を、確保放送枠各々に対応付けて管理してもよい。割付対応情報は、例えば、確保放送枠情報取得部１２による新たな確保放送枠情報の取得、推定値取得部１３による新たな推定値の取得、実績値取得部１４による新たな実績値の取得、割り付け部１５による新たな割り付けの決定等に応じて、内容が更新される。
【００６２】
図７に、割付管理部１６が管理する割付対応情報の一例を模式的に示す。図示する割付対応情報は、確保放送枠各々に、推定値取得部１３が取得した確保放送枠各々の推定値と、実績値取得部１４が取得した確保放送枠各々の実績値と、確保放送枠各々に割り付けられたＣＭ素材に対応する保障情報（割付保障情報の欄）とを対応付けている。
【００６３】
図示する「１５１２０１−１２００Ｔ」の２つの確保放送枠はいずれも、「００００１」の保障情報が対応付けられている。すなわち、当該確保放送枠には、ＣＭ素材「０００Ａ」が割り付けられている（図４参照）。これらの確保放送枠は同じＣＭ放送枠として管理されているため、推定値及び実績値が同じ値となっている。
【００６４】
図示する「１５１２０１−１３００Ｓ」の確保放送枠は、「００００２」の保障情報が対応付けられている。すなわち、当該確保放送枠には、ＣＭ素材「０００Ｂ」、「０００Ｃ」及び「０００Ｄ」のいずれかが割り付けられている（図４参照）。
【００６５】
図示する「１５１２０１−１２００Ｔ」及び「１５１２０１−１３００Ｓ」の確保放送枠には、実績値が対応付けられている。これより、これらの確保放送枠は放送済みであることが分かる。
【００６６】
これに対し、図示する「１５１２０２−２０００Ｔ」の確保放送枠には、保障情報が対応付けられているが、実績値がまた対応付けられていない。これより、当該確保放送枠は「放送前」、又は、「放送済みかつ実績値取得前」であることが分かる。
【００６７】
また、図示する「１５１２１７−１４００Ｔ」の確保放送枠には、保障情報及び実績値がまだ対応付けられていない。これより、ＣＭ素材がまだ割り付けられていないこと、及び、当該確保放送枠は「放送前」であることが分かる。
【００６８】
図３に戻り、優先順位決定部１７は、複数の保障情報各々における以下のＡ乃至Ｄの値に基づいて、複数の保障情報の優先順位を決定する。
【００６９】
「Ａ：複数の保障情報各々における保障ＧＲＰ」
「Ｂ：複数の保障情報各々における残り契約期間内における確保放送枠であって、ＣＭ素材を割り付けられていない確保放送枠の推定値の合計値」
「Ｃ：複数の保障情報各々における割付対応情報（図７参照）で対応付けられている確保放送枠の実績値の合計値」
「Ｄ：複数の保障情報各々における割付対応情報で対応付けられている確保放送枠であって、実績値がまだ得られていない確保放送枠の推定値の合計値」
【００７０】
具体的には、優先順位決定部１７は、以下の式１で、複数の保障情報各々の評価ポイントＸを算出する。そして、優先順位決定部１７は、評価ポイントＸがより大きい保障情報により高い優先順位を付す。
【００７１】
Ｘ＝（Ａ−（Ｃ＋Ｄ））／Ｂ  ・・・（式１）
【００７２】
ここで、「００００１」の保障情報の評価ポイントＸを算出する具体例、具体的にはＡ乃至Ｄの値を算出する例を説明する。
【００７３】
Ａの値は、各保障情報の保障ＧＲＰの値そのものである。図４より、保障情報「００００１」の保障ＧＲＰは「５０％」であるため、Ａの値は「５０％」となる。Ｂの値は、図７の割付対応情報で「００００１」の保障情報が対応付けられ、かつ、実績値がすでに対応付けられている確保放送枠の実績値の合計である。このような確保放送枠は「１５１２０１−１２００Ｔ」等が該当する。確保放送枠「１５１２０１−１２００Ｔ」は、保障情報「００００１」が対応付けられ、かつ、実績値「６．１％」が対応付けられている。このため、「６．１％＋６．１％＋・・・」の演算によりＢの値が求まる。
【００７４】
Ｃの値は、保障情報「００００１」の契約期間（２０１５年１月１日〜２０１５年１月１８日：図４参照）内に放送される確保放送枠であって、図７の割付対応情報でいずれの保障情報も対応付けられていない（まだＣＭ素材を割り付けられていない）確保放送枠の予測値の合計である。このような確保放送枠は「１５１２１７−１４００Ｔ」等が該当する。確保放送枠「１５１２１７−１４００Ｔ」は、放送日が２０１５年１２月１７日であり、かつ、未だ保障情報を対応付けられていない。このため、「７．３％＋・・・」の演算によりＣの値が求まる。
【００７５】
Ｄの値は、図７の割付対応情報で保障情報「００００１」が対応付けられ、かつ、実績値がまた対応付けられていない確保放送枠の予測値の合計である。このような確保放送枠は「１５１２０２−２０００Ｔ」等が該当する。確保放送枠「１５１２０２−２０００Ｔ」は、保障情報「００００１」が対応付けられ、かつ、実績値が対応付けられていない。このため、「１２．１％＋・・・」の演算によりＤの値が求まる。
【００７６】
上記式１の分子の（Ａ−（Ｃ＋Ｄ））の値は、各保障情報の保障ＧＲＰを保障するために確保しなければいけない残りのＧＲＰの目安を示す。一方、分母のＢの値は、各保障情報の契約期間内で確保しているＣＭ放送枠（確保放送枠）であって、いまだにいずれのＣＭ素材も割り付けていない確保放送枠で確保できるＧＲＰの目安を示す。Ｘの値が大きい保障情報程、契約期間内に保障ＧＲＰを保障するために、優先的にＣＭ素材を割り付けなければいけないことを意味する。
【００７７】
優先順位決定部１７は、実績値取得部１４が新たに実績値を取得すると、その都度、その実績値を考慮して優先順位を決定し直すことができる。例えば、優先順位決定部１７は、実績値取得部１４が新たに実績値を取得すると、それに応じて（実績値取得部１４による新たな実績値取得の検知に応じて）、優先順位を決定し直すよう構成されていてもよい。または、予め、実績値取得部１４が新たな実績値を取得するタイミング（例：毎日１０時）が定まっている場合、その後の任意のタイミング（例：毎日１０時３分）が優先順位決定部１７に登録されていてもよい。そして、優先順位決定部１７は、登録されているタイミングになると、それに応じて、優先順位を決定し直すよう構成されていてもよい。
【００７８】
割り付け部１５は、優先順位決定部１７が決定した優先順位の高い保障情報のＣＭ素材を優先的に、ＣＭ素材を割り付けられていない確保放送枠に割り付ける。
【００７９】
例えば、割り付け部１５は、実績値取得部１４が実績値を新たに取得すると、その都度、（１）当該タイミングでＣＭ素材を割り付ける確保放送枠を特定する処理、及び、（２）特定した確保放送枠にＣＭ素材を割り付ける処理、を行う。例えば、割り付け部１５は、実績値取得部１４が新たに実績値を取得すると、それに応じて（実績値取得部１４による新たな実績値取得の検知に応じて）、上記（１）及び（２）の処理を行うよう構成されていてもよい。または、割り付け部１５は、優先順位決定部１７が新たに優先順位を決定すると、それに応じて（優先順位決定部１７による新たな優先順位の決定の検知に応じて）、上記（１）及び（２）の処理を行うよう構成されていてもよい。または、予め、実績値取得部１４が新たな実績値を取得するタイミング（例：毎日１０時）が定まっている場合、その後の任意のタイミング（例：毎日１０時５分）が割り付け部１５に登録されていてもよい。そして、割り付け部１５は、登録されているタイミングになると、それに応じて、上記（１）及び（２）の処理を行うよう構成されていてもよい。以下、上記（１）及び（２）の処理を説明する。
【００８０】
「（１）当該タイミングでＣＭ素材を割り付ける確保放送枠を特定する処理」
割り付け部１５は、予め定められたルールに従い、実績値取得部１４が新たに実績値を取得したタイミングに基づいて、当該タイミングでＣＭ素材を割り付ける確保放送枠を特定する。
【００８１】
確保放送枠各々にＣＭ素材を割り付けるタイミング（確保放送枠各々に放送するＣＭ素材を決定するタイミング）は、放送局の放送業務の安全性を確保する観点では、できるだけ早いのが好ましい。一方、ＣＭ放送権供給者が無駄なく確保放送枠にＣＭ素材を割り付ける観点では、できるだけ放送時間に近いのが好ましい。
【００８２】
そこで、割り付け部１５は、放送局の放送業務の安全性を確保可能であり、かつ、できるだけ各確保放送枠の放送時間に近いタイミングでＣＭ素材を割り付けるよう、ＣＭ素材を割り付ける確保放送枠を特定する。
【００８３】
ＣＭ放送権供給者は、予め、例えば放送局（放送担当サイド）との間の協議等に基づいて、各ＣＭ放送枠にＣＭ素材を割り付ける期限（以下、割り付け期限）を定めておく。例えば、各ＣＭ放送枠の放送開始時間よりもどれだけ前（何時間前、何分前等）までにＣＭ素材を割り付けるべきかを、予め定めておく。そして、定めた割り付け期限を、割り付け部１５に入力しておく。
【００８４】
割り付け部１５は、このような割り付け期限に基づき、各タイミングでＣＭ素材を割り付ける確保放送枠を特定する。例えば、割り付け部１５は、今回のタイミングでＣＭ素材を割り付けた場合、割り付け期限を守ることができるが、次に実績値取得部１４が新たに実績値を取得したタイミングでＣＭ素材を割り付けた場合、割り付け期限を破ってしまう確保放送枠を、今回のタイミングでＣＭ素材を割り付ける確保放送枠として特定することができる。
【００８５】
図８を用いて、一例を説明する。図８には、２０１５年１２月１日から２０１５年１２月５日までのタイムチャートが示されている。図のタイムチャートでは、放送業務上、４時を１日の開始とし、２８時（開始タイミングが属する日の翌日の４時）を１日の終了としている。当該例の場合、割り付け期限は、放送時間より３６時間前である。
【００８６】
当該例では、実績値取得部１４は、１日１回、毎日１０時に、前日の１日分（４時から２８時）の実績値を取得するよう構成されている。そして、実績値取得から割り付け業務が完了までに要する最大時間の目安が６時間である。割り付け業務には、割り付け部１５による上記（１）及び（２）の処理や、決定した割り付け内容を放送局に通知する処理等が含まれてもよい。このような割り付け業務に要する時間（最大時間）の目安が、予め割り付け部１５に入力されていてもよい。当該例の場合、割り付け業務に要する時間の目安は、６時間である。
【００８７】
当該例の場合、２０１５年１２月３日の１０時に実績値取得部１４が新たな実績値を取得すると、割り付け部１５は、２０１５年１２月５日中に放送される確保放送枠を、当該タイミングでＣＭ素材を割り付ける確保放送枠として特定する。
【００８８】
上述の通り、割り付け業務に要する時間の目安は６時間である。このため、１０時の実績値取得に応じて開始される割り付け業務が完了する時間は、遅くて１６時となる。このタイミングで割り付けできる確保放送枠は、そこから３６時間経過後である翌々日（２０１５年１２月５日）の４時以降に放送される確保放送枠である。
【００８９】
また、翌日（２０１５年１２月４日）の１０時に実績値取得部１４が新たに取得した実績値に基づく割り付け業務が完了する時間も同様に、遅くてその日の１６時となる。このタイミングで割り付けできる確保放送枠は、そこから３６時間経過後である２０１５年１２月６日の４時以降に放送される確保放送枠となる。すなわち、２０１５年１２月６日の４時より前の確保放送枠は、２０１５年１２月４日の１０時に新たに実績値が取得されたタイミングでＣＭ素材を割り付けたのでは遅すぎる。
【００９０】
このため、割り付け部１５は、２０１５年１２月３日の１０時に実績値取得部１４が新たな実績値を取得すると、２０１５年１２月５日の４時以降、かつ、２０１５年１２月６日の４時より前に放送される確保放送枠、すなわち、２０１５年１２月５日中（２０１５年１２月５日の４時から２８時まで）に放送される確保放送枠を、当該タイミングでＣＭ素材を割り付ける確保放送枠として特定する。
【００９１】
この場合、例えば、割り付け部１５は、予め、「実績値取得部１４が新たに実績値を取得した時刻よりも４２時間後から６６時間後までに放送される確保放送枠を、当該タイミングでＣＭ素材を割り付ける確保放送枠として特定するルール」又は「実績値取得部１４が新たに実績値を取得したタイミングの属する日の翌々日中に放送される確保放送枠を、当該タイミングでＣＭ素材を割り付ける確保放送枠として特定するルール」等を保持しておいてもよい。そして、割り付け部１５は、当該ルールに基づいて、上記特定処理を行ってもよい。
【００９２】
図９を用いて、他の例を説明する。図９は、２０１５年１２月１日の１日分（４時から２８時まで）のタイムチャートが示されている。
【００９３】
当該例では、実績値取得部１４は、１日複数回、１時間毎の実績値を１時間のタイムラグで取得するよう構成されている。図には、実績値取得部１４が、１０時から１１時の実績値を１２時に取得することが示されている。
【００９４】
実績値取得部１４には、割り付け期限（放送開始時間よりも１時間前）、及び、割り付け業務に要する時間の目安（２時間）が入力されている。
【００９５】
当該例の場合、２０１５年１２月１日の１２時に実績値取得部１４が新たな実績値を取得すると、割り付け部１５は、２０１５年１２月１日の１５時から１６時に放送される確保放送枠を、当該タイミングでＣＭ素材を割り付ける確保放送枠として特定する。
【００９６】
上述の通り、実績値取得から割り付け業務が完了までに要する時間の目安が２時間である。このため、１２時の実績値取得に応じて開始される割り付け業務が完了する時間は、遅くて１４時となる。このタイミングで決定できる確保放送枠は、そこから１時間経過後である２０１５年１２月１日の１５時以降に放送される確保放送枠となる。
【００９７】
また、実績値取得部１４による２０１５年１２月１日１２時の実績値取得の次の取得は、同日１３時である。当該タイミングでは、同日の１１時から１２時の実績値が取得される。
【００９８】
上述の通り、実績値取得から割り付け業務が完了までに要する時間の目安が２時間である。このため、１３時の実績値取得に応じて開始される割り付け業務が完了する時間は、遅くて１５時となる。このタイミングで決定できる確保放送枠は、そこから１時間経過後である２０１５年１２月１日の１６時以降に放送される確保放送枠となる。
【００９９】
このため、割り付け部１５は、２０１５年１２月１日の１２時に実績値取得部１４が新たな実績値を取得すると、２０１５年１２月１日の１５時から１６時に放送される確保放送枠を、当該タイミングでＣＭ素材を割り付ける確保放送枠として特定する。
【０１００】
この場合、例えば、割り付け部１５は、予め、「実績値取得部１４が新たに実績値を取得した時刻よりも３時間後から４時間後までに放送される確保放送枠を、当該タイミングでＣＭ素材を割り付ける確保放送枠として特定するルール」を保持しておいてもよい。そして、割り付け部１５は、当該ルールに基づいて、上記特定する処理を行ってもよい。
【０１０１】
「（２）特定した確保放送枠にＣＭ素材を割り付ける処理」
上述の通り、割り付け部１５は、実績値取得部１４が所定時間分の新たな実績値を取得すると、その都度、そのタイミングでＣＭ素材を割り付ける確保放送枠を特定する。また、優先順位決定部１７は、実績値取得部１４が所定時間分の新たな実績値を取得すると、その都度、複数の保障情報の優先順位を決定する。例えば、実績値取得部１４が所定時間分の新たな実績値を取得すると、その都度、割付管理部１６により管理される割付対応情報（図７）が更新される。すなわち、実績値の欄に新たな実績値が記載される。そして、優先順位決定部１７は、更新された割付対応情報（図７）に基づいて、複数の保障情報の優先順位を決定する。
【０１０２】
割り付け部１５は、新たに決定された優先順位に基づき、優先順位の高い保障情報のＣＭ素材を優先的に、予め定められたルールに従い、上記処理で特定した確保放送枠に割り付ける。
【０１０３】
優先順位の高い保障情報のＣＭ素材を優先的に割り付けるためのルールは様々であり、特に制限されない。例えば、割り付け部１５は、原則、より優先順位の高い保障情報のＣＭ素材に、より優先順位の低い他の保障情報のＣＭ素材より多くの確保放送枠を割り付けてもよい。
【０１０４】
例えば、あるタイミングでの新たな実績値の取得に応じて割り付け部１５が特定した確保放送枠の数が１０個であるとする。そして、保障情報「００００１」の優先順位が最も高く、以降「００００２」、「００００３」・・・の順であるとする。この場合、割り付け部１５は、予め定められたルールに従い、１０個の確保放送枠すべてに保障情報「００００１」のＣＭ素材を割り付けてもよい。または、割り付け部１５は、予め定められたルールに従い、優先順位の高い方から所定数の保障情報のＣＭ素材に、所定の割合で確保放送枠を割り付けてもよい。例えば、優先順位が高い方から３つの保障情報のＣＭ素材に、５：３：２の割合で確保放送枠を割り付けてもよい。
【０１０５】
なお、割り付け部１５は、割付管理部１６により管理される割付対応情報（図７）に基づいて、保障情報各々の（Ａ−（Ｃ＋Ｄ＋Ｅ））の値が０より小さい所定の閾値を下回らないように、割り付ける。Ａ、Ｃ及びＤの定義は、上述の通りである。Ｅは、今回のタイミングで各保障情報に対応付ける確保放送枠の推定値の合計である。所定の閾値は設計的事項であるが、０より小さくし過ぎないのが好ましい。
【０１０６】
Ａの値は、各保障情報の保障ＧＲＰである。Ｃの値は、各保障情報に対応する確保放送枠の実績値の合計である。Ｄの値は、各保障情報に対応する確保放送枠であって、実績値が得られていない確保放送枠の予測値の合計である。上述の通り、Ｅの値は、今回のタイミングで各保障情報に対応付ける確保放送枠の推定値の合計である。
【０１０７】
すなわち、（Ａ−（Ｃ＋Ｄ＋Ｅ））の値が０を下回る場合、各保障情報のＣＭ素材を、保障ＧＲＰよりも多目に確保放送枠を割り付けている可能性を示す。そして、（Ａ−（Ｃ＋Ｄ＋Ｅ））の値が０より小さい所定の閾値を下回る場合、各保障情報のＣＭ素材を、保障ＧＲＰよりもかなり多目に確保放送枠を割り付けている可能性を示す。かかる場合、割り付けた確保放送枠の実際の視聴率の合計が、保障ＧＲＰを大きく上回るという不都合が発生しやすくなる。すなわち、ＣＭ放送権供給者の損失が大きくなる不都合が発生しやすくなる。（Ａ−（Ｃ＋Ｄ＋Ｅ））の値が所定の閾値を下回らないように割り付けを行うことで、このような不都合の発生を抑制できる。
【０１０８】
次に、本実施形態の作用効果について説明する。
本実施形態のＣＭ管理装置１０によれば、割り付け部１５は、優先順位決定部１７が決定した優先順位の高い保障情報のＣＭ素材を優先的に、ＣＭ素材を割り付けられていない確保放送枠に割り付けることができる。優先順位決定部１７は、例えば、評価ポイントＸ（＝（Ａ−（Ｃ＋Ｄ））／Ｂ）がより大きい保障情報により高い優先順位を付すことができる。
【０１０９】
上記式の分子の（Ａ−（Ｃ＋Ｄ））の値は、各保障情報の保障ＧＲＰを保障するために確保しなければいけない残りのＧＲＰの目安を示す。一方、分母のＢの値は、各保障情報の契約期間内で確保しているＣＭ放送枠（確保放送枠）であって、いまだにいずれのＣＭ素材も割り付けていない確保放送枠で確保できるＧＲＰの目安を示す。Ｘの値が大きい保障情報程、契約期間内に放送される確保放送枠であって、いまだにいずれのＣＭ素材も割り付けていない確保放送枠の余裕がないことを意味する。すなわち、Ｘの値が大きい保障情報程、契約期間内に保障ＧＲＰを保障するために、契約期間内の残りの確保放送枠に優先的にＣＭ素材を割り付けなければいけないことを意味する。
【０１１０】
本実施形態のＣＭ管理装置１０は、このように決定した優先順位に基づいて、ＣＭ素材の割り付けを行うので、各保障情報の保障ＧＲＰを高い精度で保障することができる。
【０１１１】
また、本実施形態のＣＭ管理装置１０は、（Ａ−（Ｃ＋Ｄ＋Ｅ））の値が所定の閾値を下回らないように、ＣＭ素材の割り付けを行うことができる。かかる場合、実際のＧＲＰ（割り付けた確保放送枠の実績値の合計）が保障ＧＲＰを大きく上回るという不都合の発生を抑制できる。
【０１１２】
また、本実施形態のＣＭ管理装置１０は、実績値取得部１４が新たな視聴率の実績値を取得すると、その都度、ＣＭ素材を割り付ける対象として適切な確保放送枠を特定し、特定した確保放送枠にＣＭ素材を割り付けることができる。すなわち、本実施形態のＣＭ管理装置１０は、適切なタイミングで、適切な確保放送枠にＣＭ素材を割り付けることができる。
【０１１３】
ＣＭ素材を割り付けるタイミングが適切なタイミングよりも遅れると、放送局の放送業務の安全性が損なわれる恐れがある。適切なタイミングで、確保放送枠各々にＣＭ素材を割り付けることができる本実施形態のＣＭ管理装置１０によれば、放送局の放送業務の安全性を確保することができる。
【０１１４】
また、ＣＭ素材を割り付けるタイミングが適切なタイミングよりも早いと、より少ない実績値に基づいて、割り付け処理を行わなければならなくなる。この場合、割り付け部１５や優先順位決定部１７の処理における各保放送枠の予測値への寄与が大きくなる。結果、実際のＧＲＰ（割り付けた確保放送枠の実績値の合計）が保障ＧＲＰを大きく上回る等の不都合が発生し得る。
【０１１５】
例えば、上述の通り、ＣＭ管理装置１０は、（Ａ−（Ｃ＋Ｄ＋Ｅ））の値が所定の閾値を下回らないように、ＣＭ素材の割り付けを行うことができる。ＣＭ素材を割り付けるタイミングが適切なタイミングよりも早いと、（Ｃ＋Ｄ＋Ｅ）の値に対するＣの値の割合がより小さく、（Ｄ＋Ｅ）の値の割合がより大きいタイミングで、（Ａ−（Ｃ＋Ｄ＋Ｅ））の値が０を下回るように割り付けを行わなければならなくなる。
【０１１６】
Ｃの値は、各保障情報に対応付けた確保放送枠で確保した実績値の合計を示す。Ｄの値は、各保障情報に対応付けた確保放送枠であって、実績値が得られていない確保放送枠の予測値の合計である。Ｅの値は、今回のタイミングで各保障情報に対応付ける確保放送枠の予測値の合計である。
【０１１７】
すなわち、（Ｃ＋Ｄ＋Ｅ）の値は、各保障情報に対応付けた確保放送枠で確保できるＧＲＰの目安と考えられる。Ｃの値の割合が小さくなり、（Ｄ＋Ｅ）の値の割合が大きくなるほど、当該目安の精度は低くなる。このような目安の精度が低いタイミングで、（Ａ−（Ｃ＋Ｄ＋Ｅ））の値が０を下回るように割り付けを行うと、実際の視聴率のＧＲＰ（割り付けた確保放送枠の実績値の合計）が保障ＧＲＰを大きく上回るという不都合が発生しやすくなる。適切なタイミングで、確保放送枠各々にＣＭ素材を割り付けることができる本実施形態のＣＭ管理装置１０によれば、このような不都合を軽減できる。
【０１１８】
なお、各ＣＭ放送枠の放送時間から、実績値取得部１４が各ＣＭ放送枠の視聴率の実績値を取得するまでのタイムラグが小さくなるほど、上記Ｄの値が小さくなる。そして、Ｄの値を実質０にすることもできる。この場合、上記式１は、Ｘ＝（Ａ−Ｃ））／Ｂと書き換えることができる。優先順位決定部１７は、このような式で算出した評価ポイントＸに基づいて、優先順位を決定してもよい。
【０１１９】
ここで、図１２を用いて、本実施形態のＣＭ管理装置１０の適用の他の例の一例を説明する。
【０１２０】
ＣＭ放送権供給者は、ＣＭ放送枠を確保する（ＣＭ放送枠確保）。ＣＭ放送権供給者が放送局と取引してＣＭ放送枠を確保する者である場合、ＣＭ放送権供給者は、放送局からＣＭ放送枠を購入することで、所定のＣＭ放送枠を確保する。
【０１２１】
また、ＣＭ放送権供給者は、ＣＭ放送権需要者に、確保したＣＭ放送枠にＣＭ素材を放送するＣＭ放送権を販売する（ＣＭ契約締結）。当該ＣＭ契約においては、放送するＣＭ素材、契約期間、購入されたＧＲＰ（保障ＧＲＰ）、ＣＭ素材を放送する際のルール等が定められる。
【０１２２】
ＣＭ放送権供給者は、確保したＣＭ放送枠各々の放送時間よりも前の所定のタイミングで、各ＣＭ放送枠に放送するＣＭ素材を仮決定し、放送局に連絡する（仮素材割付）。放送局は、当該連絡に基づき、ＣＭ進行データを仮決定する。ＣＭ進行データにおいては、各ＣＭ放送枠に放送するＣＭ素材や、放送するＣＭ素材の放送順等が定められる。
【０１２３】
なお、ＣＭ放送権供給者による仮素材割付は、放送局による所定のタイミングでのＣＭ進行データの仮決定を実現するための作業である。仮決定された内容（各ＣＭ放送枠に割り付けるＣＭ素材）は、その後に行われる「素材割付」により、必要に応じて変更される。
【０１２４】
図示する「素材割付」の作業は、本実施形態のＣＭ管理装置１０により行われる。ＣＭ管理装置１０には、ＣＭ放送権供給者が確保したＣＭ放送枠（確保放送枠）を示す情報（確保放送枠情報）、ＣＭ放送権供給者が締結したＣＭ契約を示す情報（保障情報）が入力される。また、ＣＭ管理装置１０には、視聴率の実績値が継続的に入力される。ＣＭ管理装置１０は、この実績値に基づいて、確保放送枠の視聴率の推定値や実績値を取得する。
【０１２５】
ＣＭ管理装置１０は、適切なタイミングで、適切な確保放送枠に適切なＣＭ素材を割り付ける（割り付け部１５及び優先順位決定部１７）。すなわち、仮決定した内容を変更する。そして、決定した内容を放送局に通知する。
【０１２６】
すると、放送局は、通知内容に基づき、それ以前に仮決定していたＣＭ進行データを修正する。なお、放送局が仮決定したＣＭ進行データの修正権限がＣＭ放送権供給者に与えられている場合、ＣＭ放送権供給者が自ら、仮決定されたＣＭ進行データを修正してもよい。その後、放送局は、修正後のＣＭ進行データに基づいて、放送を行う。
【０１２７】
＜第２の実施形態＞
本実施形態のＣＭ管理装置１０は、保障ＧＲＰに対する確保放送枠の過不足を判定する手段を有する点で、第１の実施形態と異なる。他の構成は、第１の実施形態と同様である。確保放送枠各々の実際の視聴率（実績値）は、確保放送枠の放送後に確定する。すなわち、放送前には、確保放送枠各々の実際の視聴率（実績値）は不明である。このような不確定要素が存在する状況下では、保障ＧＲＰに対する確保放送枠の過不足を正確に判断することはできない。
【０１２８】
本実施形態のＣＭ管理装置１０は、保障ＧＲＰ、実績値が得られている確保放送枠の実績値（視聴率）、及び、実績値が得られていない確保放送枠の推定値（視聴率）等に基づき、特徴的な方法で上記過不足を判定することで、判定の精度を高める。
【０１２９】
図１０に、本実施形態のＣＭ管理装置１０の機能ブロック図の一例を示す。図示するように、ＣＭ管理装置１０は、保障情報取得部１１と、確保放送枠情報取得部１２と、推定値取得部１３と、実績値取得部１４と、割り付け部１５と、割付管理部１６と、優先順位決定部１７と、判定部１８とを有する。
【０１３０】
保障情報取得部１１、確保放送枠情報取得部１２、推定値取得部１３、実績値取得部１４、割り付け部１５、割付管理部１６及び優先順位決定部１７の構成は、第１の実施形態と同様である。
【０１３１】
判定部１８は、保障情報取得部１１が取得する保障情報に含まれる保障ＧＲＰと、推定値取得部１３が取得する推定値と、実績値取得部１４が取得する実績値と、確保放送枠情報取得部１２が取得する確保放送枠情報と、割付管理部１６が管理する割付対応情報とに基づいて、複数の保障情報の保障ＧＲＰの合計値に対する確保放送枠の過不足を判定する。
【０１３２】
例えば、判定部１８は、以下のＰ乃至Ｓの値に基づいて、過不足を判定する。
【０１３３】
「Ｐ：複数の保障情報の保障ＧＲＰの合計値」
「Ｑ：複数の保障情報各々に割付対応情報（図７参照）で対応付けられている確保放送枠の実績値の合計値」
「Ｒ：複数の保障情報各々に割付対応情報（図７参照）で対応付けられている確保放送枠であって、実績値が得られていない（対応付けられていない）確保放送枠の推定値の合計値」
「Ｓ：ＣＭ素材を割り付けられていない確保放送枠の推定値の合計値」
【０１３４】
例えば、判定部１８は、（Ｐ−（Ｑ＋Ｒ））の値と、Ｓの値との大小関係に基づいて、過不足を判定することができる。
【０１３５】
判定部１８は、（Ｐ−（Ｑ＋Ｒ））の値がＳの値より大きい場合、確保放送枠が不足していると判定する。そして、判定部１８は、（Ｐ−（Ｑ＋Ｒ））の値からＳの値を引いた値がより大きい程、確保放送枠がより不足していると判定する。
【０１３６】
また、判定部１８は、Ｓの値が（Ｐ−（Ｑ＋Ｒ））の値より大きい場合、確保放送枠が足りている（余っている）と判定する。そして、判定部１８は、Ｓの値から（Ｐ−（Ｑ＋Ｒ））の値を引いた値がより大きい程、確保放送枠がより余っていると判定する。
【０１３７】
ここで、Ｐ乃至Ｓの値を算出する具体例を説明する。
【０１３８】
Ｐの値は、複数の保障情報の保障ＧＲＰの合計値である。図４の場合、「５０％＋７５％＋・・・」の演算によりＰの値が求まる。
【０１３９】
Ｑの値は、複数の保障情報各々に割付対応情報（図７参照）で対応付けられている確保放送枠の実績値の合計値である。図７の場合、「６．１％＋６．１％＋４．１％・・・」の演算によりＱの値が求まる。
【０１４０】
Ｒの値は、複数の保障情報各々に割付対応情報（図７参照）で対応付けられている確保放送枠であって、実績値が得られていない（対応付けられていない）確保放送枠の推定値の合計値である。このような確保放送枠は、図７に示す「１５１２０２−２０００Ｔ」等が該当する。図７の場合、「１２．１％＋・・・」の演算によりＲの値が求まる。
【０１４１】
Ｓの値は、ＣＭ素材を割り付けられていない確保放送枠の推定値の合計値である。このような放送枠は、図７に示す「１５１２１７−１４００Ｔ」等が該当する。図７の場合、「７．３％＋・・・」の演算によりＳの値が求まる。
【０１４２】
Ｑの値は、ＣＭ素材を割り付けられている確保放送枠で確保できたＧＲＰ（実績値の合計値）を示す。Ｒの値は、ＣＭ素材を割り付けられている確保放送枠であって、実績値を得られてない確保放送枠で確保できるＧＲＰ（推定値の合計値）を示す。このため、（Ｑ＋Ｒ）の値は、ＣＭ素材を割り付けられている確保放送枠で確保できるＧＲＰの目安を示す。
【０１４３】
（Ｐ−（Ｑ＋Ｒ））の値は、保障ＧＲＰの合計値から、ＣＭ素材を割り付けられている確保放送枠で確保できるＧＲＰの目安を引いた値を示す。すなわち、当該値は、複数の保障情報の保障ＧＲＰを保障するために確保しないといけない残りのＧＲＰの目安を示す。Ｓの値は、ＣＭ素材を割り付けられていない確保放送枠で確保できるＧＲＰ（推定値の合計）の目安を示す。
【０１４４】
判定部１８は、このような（Ｐ−（Ｑ＋Ｒ））の値と、Ｓの値との大小関係に基づいて、保障ＧＲＰを保障するために、確保放送枠が足りているか不足しているかを判定する。
【０１４５】
なお、同様の結果が得られる範囲で、比較する２つの値を変更することもできる。例えば、判定部１８は、Ｐの値と、（Ｑ＋Ｒ＋Ｓ）の値との大小関係に基づいて、保障ＧＲＰを保障するために、確保放送枠が足りているか不足しているかを判定することもできる。
【０１４６】
その他、同様に、判定部１８は、（Ｐ−Ｑ）の値と（Ｒ＋Ｓ）の値との大小関係、（Ｐ−Ｒ）の値と（Ｑ＋Ｓ）の値との大小関係、（Ｐ−Ｓ）の値と（Ｒ＋Ｑ）の値との大小関係、（Ｐ−（Ｑ＋Ｓ））の値と、Ｒの値との大小関係、（Ｐ−（Ｒ＋Ｓ））の値と、Ｑの値との大小関係、及び、（Ｐ−（Ｑ＋Ｒ＋Ｓ））の値と０との大小関係等に基づいて、上記過不足を判定してもよい。なお、ここでの例示はあくまで一例であり、これに限定されない。
【０１４７】
ここで、他の例を示す。判定部１８は、以下のｐ乃至ｒの値に基づいて、過不足を判定してもよい。
【０１４８】
「ｐ：複数の保障情報の保障ＧＲＰの合計値」
「ｑ：複数の保障情報各々に割付対応情報（図７参照）で対応付けられている確保放送枠の実績値の合計値」
「ｒ：実績値が得られていない確保放送枠の推定値の合計値」
【０１４９】
例えば、判定部１８は、（ｐ−ｑ）の値と、ｒの値との大小関係に基づいて、過不足を判定することができる。
【０１５０】
判定部１８は、（ｐ−ｑ）の値がｒの値より大きい場合、確保放送枠が不足していると判定する。そして、判定部１８は、（ｐ−ｑ）の値からｒの値を引いた値がより大きい程、確保放送枠がより不足していると判定する。
【０１５１】
また、判定部１８は、ｒの値が（ｐ−ｑ）の値より大きい場合、確保放送枠が足りている（余っている）と判定する。そして、判定部１８は、ｒの値から（ｐ−ｑ）の値を引いた値がより大きい程、確保放送枠がより余っていると判定する。
【０１５２】
ここで、ｐ乃至ｒの値を算出する具体例を説明する。
【０１５３】
ｐの値は、複数の保障情報の保障ＧＲＰの合計値である。図４の場合、「５０％＋７５％＋・・・」の演算によりｐの値が求まる。
【０１５４】
ｑの値は、複数の保障情報各々に割付対応情報（図７参照）で対応付けられている確保放送枠の実績値の合計値である。図７の場合、「６．１％＋６．１％＋４．１％・・・」の演算によりｑの値が求まる。
【０１５５】
ｒの値は、実績値が得られていない確保放送枠の推定値の合計値である。このような確保放送枠は、ＣＭ素材が割り付けられている（割付対応情報で保障情報が対応付いている）が未だ実績値が得られていない確保放送枠（図７の場合、確保放送枠「１５１２０２−２０００Ｔ」）や、ＣＭ素材が未だ割り付けられていない確保放送枠（図７の場合、確保放送枠「１５１２１７−１４００Ｔ」）が対応する。図７の場合、「１２．１％＋７．３％＋・・・」の演算によりｒの値が求まる。
【０１５６】
ｑの値は、あるタイミング（以下、第１のタイミング）以前の確保放送枠各々の実績値の合計値である。すなわち、第１のタイミング以前の確保放送枠で確保したＧＲＰである。（ｐ−ｑ）の値は、第１のタイミングの時点で残っている保障ＧＲＰの残りを示す。すなわち、保障ＧＲＰを保障するために、第１のタイミング以降に確保しなければいけないＧＲＰを示す。ｒの値は、第１のタイミング以降の確保放送枠で確保できるＧＲＰの目安を示す。
【０１５７】
判定部１８は、このような（ｐ−ｑ）の値と、ｒの値との大小関係に基づいて、保障ＧＲＰを保障するために、確保放送枠が足りているか不足しているかを判定してもよい。
【０１５８】
その他、同様に、判定部１８は、（ｐ−ｒ）の値と、ｑの値との大小関係、ｐの値と（ｑ＋ｒ）の値との大小関係、（ｐ−ｑ−ｒ）の値と０との大小関係等に基づいて、上記過不足を判定してもよい。なお、ここでの例示はあくまで一例であり、これに限定されない。
【０１５９】
判定部１８は、予め定められた任意のタイミングで、その時点の最新のデータ（推定値、実績値、確保放送枠情報及び割付対応情報）に基づいて、上記判定処理を行ってもよい。又は、判定部１８は、オペレータによる判定処理の指示入力に応じ、その時点の最新のデータに基づいて、上記判定処理を行ってもよい。その他、判定部１８は割付対応情報が更新されると、それに応じて上記判定処理を行ってもよい。
【０１６０】
ＣＭ管理装置１０は、判定部１８による判定結果を出力する出力部（不図示）を備えてもよい。出力部は、ディスプレイ、スピーカ、警告ランプ、プリンター、メーラー等のあらゆる出力装置を介して、判定結果を出力することができる。
【０１６１】
以上説明した本実施形態のＣＭ管理装置１０によれば、第１の実施形態と同様の作用効果を実現することができる。
【０１６２】
また、本実施形態のＣＭ管理装置１０は、保障しなければいけない保障ＧＲＰの合計値、実績値が得られている確保放送枠の実績値の合計値（確保済みのＧＲＰ）、及び、実績値が得られていない確保放送枠の推定値の合計値（確保できるＧＲＰの目安）等に基づき、保障ＧＲＰを保障する上での確保放送枠の過不足を算出することができる。
【０１６３】
例えば、ＣＭ放送権供給者は、当該判定結果に応じて、不足分を補うために新たなＣＭ放送枠を確保することができる。また、ＣＭ放送権供給者は、当該判定結果に応じて、余剰分のＣＭ放送権を新たに販売することができる。このように、本実施形態のＣＭ管理装置１０によれば、ＣＭ放送権供給者は、確保放送枠の在庫状況、すなわち現在の確保放送枠が保障ＧＲＰに対して不足しているか、余っているかを適切に把握することができる。結果、ＣＭ放送枠を新たに確保する、また、余剰分のＣＭ放送権を新たに販売する、等の適切な対応をとることができる。
【０１６４】
＜第３の実施形態＞
図１１に、本実施形態のＣＭ管理装置２０の機能ブロック図の一例を示す。図示するように、本実施形態のＣＭ管理装置２０は、保障情報取得部１１と、確保放送枠情報取得部１２と、推定値取得部１３と、実績値取得部１４と、割り付け部２５と、割付管理部１６と、判定部１８とを有する。すなわち、本実施形態のＣＭ管理装置２０は、優先順位決定部１７を有さない点で、第２の実施形態のＣＭ管理装置１０と異なる。
【０１６５】
本実施形態の割り付け部２５は、確保放送枠にＣＭ素材を割り付ける。ＣＭ素材を割り付ける処理の内容は特段制限されず、あらゆる技術を採用することができる。すなわち、割り付け部２５は、第１及び第２の実施形態と異なり、複数の保障情報の優先順位に基づかず、割り付けを行ってもよい。また、割り付け部２５は、第１及び第２の実施形態と異なる手段で付された複数の保障情報の優先順位に基づき、割り付けを行ってもよい。
【０１６６】
本実施形態のＣＭ管理装置２０によれば、第２の実施形態と同様の作用効果を実現することができる。
【０１６７】
以下、参考形態の例を付記する。
１．  ＣＭ（commercial message）素材と、契約期間と、前記契約期間中に前記ＣＭ素材を放送して確保すべき延べ視聴率を示す保障ＧＲＰと、を対応付けた保障情報を複数取得する保障情報取得手段と、
確保しているＣＭ放送枠である確保放送枠を示す確保放送枠情報を取得する確保放送枠情報取得手段と、
前記確保放送枠の放送前に、前記確保放送枠の視聴率の推定値を取得する推定値取得手段と、
前記確保放送枠の放送後に、前記確保放送枠の視聴率の実績値を取得する実績値取得手段と、
前記確保放送枠に前記ＣＭ素材を割り付ける割り付け手段と、
前記ＣＭ素材を割り付け済みの前記確保放送枠各々と、割れ付けられた前記ＣＭ素材に対応する前記保障情報と、を対応付けた割付対応情報を管理する割付管理手段と、
複数の前記保障情報各々における、前記保障ＧＲＰと、前記割付対応情報で対応付けられている前記確保放送枠の前記実績値の合計値と、残り契約期間内における前記確保放送枠であって、前記ＣＭ素材を割り付けられていない前記確保放送枠の前記推定値の合計値と、に基づき、複数の前記保障情報の優先順位を決定する優先順位決定手段と、
を有し、
前記割り付け手段は、前記優先順位の高い前記保障情報の前記ＣＭ素材を優先的に、前記ＣＭ素材を割り付けられていない前記確保放送枠に割り付けるＣＭ管理装置。
２．  １に記載のＣＭ管理装置において、
前記優先順位決定手段は、さらに、複数の前記保障情報各々における前記割付対応情報で対応付けられている前記確保放送枠であって、前記実績値がまだ得られていない前記確保放送枠の前記推定値の合計値に基づき、前記優先順位を決定するＣＭ管理装置。
３．  ２に記載のＣＭ管理装置において、
前記保障情報各々の前記保障ＧＲＰをＡ、
前記保障情報各々の残り契約期間内における前記確保放送枠であって、前記ＣＭ素材を割り付けられていない前記確保放送枠の前記推定値の合計値をＢ、
前記保障情報各々に前記割付対応情報で対応付けられている前記確保放送枠の前記実績値の合計値をＣ、
前記保障情報各々に前記割付対応情報で対応付けられている前記確保放送枠であって、前記実績値がまだ得られていない前記確保放送枠の前記推定値の合計値をＤ、
前記保障情報各々の評価ポイントをＸ、
とした場合、
前記優先順位決定手段は、Ｘ＝（Ａ−（Ｃ＋Ｄ））／Ｂの式で、前記保障情報毎に前記評価ポイントを算出し、前記評価ポイントがより大きい前記保障情報により高い優先順位を付すＣＭ管理装置。
４．  １から３のいずれかに記載のＣＭ管理装置において、
前記優先順位決定手段は、前記実績値取得手段が新たに前記実績値を取得すると、その実績値を考慮して前記優先順位を決定し直し、
前記割り付け手段は、前記実績値取得手段が前記実績値を新たに取得すると、前記実績値取得手段が前記実績値を取得したタイミングに基づいて、ＣＭ素材を割り付ける対象の前記確保放送枠を特定し、その後、前記優先順位に基づいて、特定した前記確保放送枠に前記ＣＭ素材を割り付けるＣＭ管理装置。
５．  １から４のいずれかに記載のＣＭ管理装置において、
前記保障ＧＲＰと、前記推定値と、前記実績値と、前記確保放送枠情報と、前記割付対応情報とに基づいて、複数の前記保障情報の前記保障ＧＲＰの合計値に対する前記確保放送枠の過不足を判定する判定手段をさらに有するＣＭ管理装置。
６．  ５に記載のＣＭ管理装置において、
複数の前記保障情報の前記保障ＧＲＰの合計値をＰ、
前記複数の保障情報各々に前記割付対応情報で対応付けられている前記確保放送枠の前記実績値の合計値をＱ、
前記複数の保障情報各々に前記割付対応情報で対応付けられている前記確保放送枠であって、前記実績値が得られていない前記確保放送枠の前記推定値の合計値をＲ、
前記ＣＭ素材を割り付けられていない前記確保放送枠の前記推定値の合計値をＳ、
とした場合、
前記判定手段は、Ｐ、Ｑ、Ｒ及びＳの値に基づいて、前記過不足を判定するＣＭ管理装置。
７．  ５に記載のＣＭ管理装置において、
複数の前記保障情報の前記保障ＧＲＰの合計値をｐ、
前記複数の保障情報各々に前記割付対応情報で対応付けられている前記確保放送枠の前記実績値の合計値をｑ、
前記実績値が得られていない前記確保放送枠の前記推定値の合計値をｒ、
とした場合、
前記判定手段は、ｐ、ｑ及びｒの値に基づいて、前記過不足を判定するＣＭ管理装置。
８．  ＣＭ素材と、契約期間と、前記契約期間中に前記ＣＭ素材を放送して確保すべき延べ視聴率を示す保障ＧＲＰと、を対応付けた保障情報を複数取得する保障情報取得手段と、
確保しているＣＭ放送枠である確保放送枠を示す確保放送枠情報を取得する確保放送枠情報取得手段と、
前記確保放送枠の放送前に、前記確保放送枠の視聴率の推定値を取得する推定値取得手段と、
前記確保放送枠の放送後に、前記確保放送枠の視聴率の実績値を取得する実績値取得手段と、
前記確保放送枠に前記ＣＭ素材を割り付ける割り付け手段と、
前記ＣＭ素材を割り付け済みの前記確保放送枠各々と、割れ付けられた前記ＣＭ素材に対応する前記保障情報と、を対応付けた割付対応情報を管理する割付管理手段と、
前記保障ＧＲＰと、前記推定値と、前記実績値と、前記確保放送枠情報と、前記割付対応情報とに基づいて、複数の前記保障情報の前記保障ＧＲＰの合計値に対する前記確保放送枠の過不足を判定する判定手段と、
を有するＣＭ管理装置。
９．  コンピュータを、
ＣＭ素材と、契約期間と、前記契約期間中に前記ＣＭ素材を放送して確保すべき延べ視聴率を示す保障ＧＲＰと、を対応付けた保障情報を複数取得する保障情報取得手段、
確保しているＣＭ放送枠である確保放送枠を示す確保放送枠情報を取得する確保放送枠情報取得手段、
前記確保放送枠の放送前に、前記確保放送枠の視聴率の推定値を取得する推定値取得手段、
前記確保放送枠の放送後に、前記確保放送枠の視聴率の実績値を取得する実績値取得手段、
前記確保放送枠に前記ＣＭ素材を割り付ける割り付け手段、
前記ＣＭ素材を割り付け済みの前記確保放送枠各々と、割れ付けられた前記ＣＭ素材に対応する前記保障情報と、を対応付けた割付対応情報を管理する割付管理手段、
複数の前記保障情報各々における、前記保障ＧＲＰと、前記割付対応情報で対応付けられている前記確保放送枠の前記実績値の合計値と、残り契約期間内における前記確保放送枠であって、前記ＣＭ素材を割り付けられていない前記確保放送枠の前記推定値の合計値と、に基づき、複数の前記保障情報の優先順位を決定する優先順位決定手段、
として機能させ、
前記割り付け手段を、前記優先順位の高い前記保障情報の前記ＣＭ素材を優先的に、前記ＣＭ素材を割り付けられていない前記確保放送枠に割り付けさせるプログラム。
９−２．  ９に記載のプログラムにおいて、
前記優先順位決定手段に、さらに、複数の前記保障情報各々における前記割付対応情報で対応付けられている前記確保放送枠であって、前記実績値がまだ得られていない前記確保放送枠の前記推定値の合計値に基づき、前記優先順位を決定させるプログラム。
９−３．  ９−２に記載のプログラムにおいて、
前記保障情報各々の前記保障ＧＲＰをＡ、
前記保障情報各々の残り契約期間内における前記確保放送枠であって、前記ＣＭ素材を割り付けられていない前記確保放送枠の前記推定値の合計値をＢ、
前記保障情報各々に前記割付対応情報で対応付けられている前記確保放送枠の前記実績値の合計値をＣ、
前記保障情報各々に前記割付対応情報で対応付けられている前記確保放送枠であって、前記実績値がまだ得られていない前記確保放送枠の前記推定値の合計値をＤ、
前記保障情報各々の評価ポイントをＸ、
とした場合、
前記優先順位決定手段に、Ｘ＝（Ａ−（Ｃ＋Ｄ））／Ｂの式で、前記保障情報毎に前記評価ポイントを算出させ、前記評価ポイントがより大きい前記保障情報により高い優先順位を付させるプログラム。
９−４．  ９から９−３のいずれかに記載のプログラムにおいて、
前記優先順位決定手段に、前記実績値取得手段が新たに前記実績値を取得すると、その実績値を考慮して前記優先順位を決定し直させ、
前記割り付け手段に、前記実績値取得手段が前記実績値を新たに取得すると、前記実績値取得手段が前記実績値を取得したタイミングに基づいて、ＣＭ素材を割り付ける対象の前記確保放送枠を特定させ、その後、前記優先順位に基づいて、特定した前記確保放送枠に前記ＣＭ素材を割り付けさせるプログラム。
９−５．  ９から９−４のいずれかに記載のプログラムにおいて、
前記コンピュータを、
前記保障ＧＲＰと、前記推定値と、前記実績値と、前記確保放送枠情報と、前記割付対応情報とに基づいて、複数の前記保障情報の前記保障ＧＲＰの合計値に対する前記確保放送枠の過不足を判定する判定手段として機能させるプログラム。
９−６．  ９−５に記載のプログラムにおいて、
複数の前記保障情報の前記保障ＧＲＰの合計値をＰ、
前記複数の保障情報各々に前記割付対応情報で対応付けられている前記確保放送枠の前記実績値の合計値をＱ、
前記複数の保障情報各々に前記割付対応情報で対応付けられている前記確保放送枠であって、前記実績値が得られていない前記確保放送枠の前記推定値の合計値をＲ、
前記ＣＭ素材を割り付けられていない前記確保放送枠の前記推定値の合計値をＳ、
とした場合、
前記判定手段に、Ｐ、Ｑ、Ｒ及びＳの値に基づいて、前記過不足を判定させるプログラム。
９−７．  ９−５に記載のプログラムにおいて、
複数の前記保障情報の前記保障ＧＲＰの合計値をｐ、
前記複数の保障情報各々に前記割付対応情報で対応付けられている前記確保放送枠の前記実績値の合計値をｑ、
前記実績値が得られていない前記確保放送枠の前記推定値の合計値をｒ、
とした場合、
前記判定手段に、ｐ、ｑ及びｒの値に基づいて、前記過不足を判定させるプログラム。
１０．  コンピュータが、
ＣＭ素材と、契約期間と、前記契約期間中に前記ＣＭ素材を放送して確保すべき延べ視聴率を示す保障ＧＲＰと、を対応付けた保障情報を複数取得する保障情報取得工程と、
確保しているＣＭ放送枠である確保放送枠を示す確保放送枠情報を取得する確保放送枠情報取得工程と、
前記確保放送枠の放送前に、前記確保放送枠の視聴率の推定値を取得する推定値取得工程と、
前記確保放送枠の放送後に、前記確保放送枠の視聴率の実績値を取得する実績値取得工程と、
前記確保放送枠に前記ＣＭ素材を割り付ける割り付け工程と、
前記ＣＭ素材を割り付け済みの前記確保放送枠各々と、割れ付けられた前記ＣＭ素材に対応する前記保障情報と、を対応付けた割付対応情報を管理する割付管理工程と、
複数の前記保障情報各々における、前記保障ＧＲＰと、前記割付対応情報で対応付けられている前記確保放送枠の前記実績値の合計値と、残り契約期間内における前記確保放送枠であって、前記ＣＭ素材を割り付けられていない前記確保放送枠の前記推定値の合計値と、に基づき、複数の前記保障情報の優先順位を決定する優先順位決定工程と、
を実行し、
前記割り付け工程では、前記優先順位の高い前記保障情報の前記ＣＭ素材を優先的に、前記ＣＭ素材を割り付けられていない前記確保放送枠に割り付けるＣＭ管理方法。
１０−２．  １０に記載のＣＭ管理方法において、
前記優先順位決定工程では、さらに、複数の前記保障情報各々における前記割付対応情報で対応付けられている前記確保放送枠であって、前記実績値がまだ得られていない前記確保放送枠の前記推定値の合計値に基づき、前記優先順位を決定するＣＭ管理方法。
１０−３．  １０−２に記載のＣＭ管理方法において、
前記保障情報各々の前記保障ＧＲＰをＡ、
前記保障情報各々の残り契約期間内における前記確保放送枠であって、前記ＣＭ素材を割り付けられていない前記確保放送枠の前記推定値の合計値をＢ、
前記保障情報各々に前記割付対応情報で対応付けられている前記確保放送枠の前記実績値の合計値をＣ、
前記保障情報各々に前記割付対応情報で対応付けられている前記確保放送枠であって、前記実績値がまだ得られていない前記確保放送枠の前記推定値の合計値をＤ、
前記保障情報各々の評価ポイントをＸ、
とした場合、
前記優先順位決定工程では、Ｘ＝（Ａ−（Ｃ＋Ｄ））／Ｂの式で、前記保障情報毎に前記評価ポイントを算出し、前記評価ポイントがより大きい前記保障情報により高い優先順位を付すＣＭ管理方法。
１０−４．  １０から１０−３のいずれかに記載のＣＭ管理方法において、
前記優先順位決定工程では、前記実績値取得工程で新たに前記実績値を取得すると、その実績値を考慮して前記優先順位を決定し直し、
前記割り付け工程では、前記実績値取得工程で前記実績値を新たに取得すると、前記実績値取得工程で前記実績値を取得したタイミングに基づいて、ＣＭ素材を割り付ける対象の前記確保放送枠を特定し、その後、前記優先順位に基づいて、特定した前記確保放送枠に前記ＣＭ素材を割り付けるＣＭ管理方法。
１０−５．  １０から１０−４のいずれかに記載のＣＭ管理方法において、
前記コンピュータが、前記保障ＧＲＰと、前記推定値と、前記実績値と、前記確保放送枠情報と、前記割付対応情報とに基づいて、複数の前記保障情報の前記保障ＧＲＰの合計値に対する前記確保放送枠の過不足を判定する判定工程をさらに実行するＣＭ管理方法。
１０−６．  １０−５に記載のＣＭ管理方法において、
複数の前記保障情報の前記保障ＧＲＰの合計値をＰ、
前記複数の保障情報各々に前記割付対応情報で対応付けられている前記確保放送枠の前記実績値の合計値をＱ、
前記複数の保障情報各々に前記割付対応情報で対応付けられている前記確保放送枠であって、前記実績値が得られていない前記確保放送枠の前記推定値の合計値をＲ、
前記ＣＭ素材を割り付けられていない前記確保放送枠の前記推定値の合計値をＳ、
とした場合、
前記判定工程では、Ｐ、Ｑ、Ｒ及びＳの値に基づいて、前記過不足を判定するＣＭ管理方法。
１０−７．  １０−５に記載のＣＭ管理方法において、
複数の前記保障情報の前記保障ＧＲＰの合計値をｐ、
前記複数の保障情報各々に前記割付対応情報で対応付けられている前記確保放送枠の前記実績値の合計値をｑ、
前記実績値が得られていない前記確保放送枠の前記推定値の合計値をｒ、
とした場合、
前記判定工程では、ｐ、ｑ及びｒの値に基づいて、前記過不足を判定するＣＭ管理方法。
【符号の説明】
【０１６８】
１Ａ    ＣＰＵ
２Ａ    ＲＡＭ
３Ａ    ＲＯＭ
４Ａ    表示制御部
５Ａ    ディスプレイ
６Ａ    操作受付部
７Ａ    操作部
８Ａ    通信部
９Ａ    補助記憶装置
１０Ａ  バス
１０    ＣＭ管理装置
１１    保障情報取得部
１２    確保放送枠情報取得部
１３    推定値取得部
１４    実績値取得部
１５    割り付け部
１６    割付管理部
１７    優先順位決定部
１８    判定部
２０    ＣＭ管理装置
２５    割り付け部
【図１】
0006467957.tif 000002
【図２】
0006467957.tif 000003
【図３】
0006467957.tif 000004
【図４】
0006467957.tif 000005
【図５】
0006467957.tif 000006
【図６】
0006467957.tif 000007
【図７】
0006467957.tif 000008
【図８】
0006467957.tif 000009
【図９】
0006467957.tif 000010
【図１０】
0006467957.tif 000011
【図１１】
0006467957.tif 000012
【図１２】
0006467957.tif 000013